(57)【特許請求の範囲】
【請求項１】
第１の映像情報を受信する受信手段と、
ネットワークを介して指定指示、再生指示及び再生停止指示を予め設定された時間間隔で繰り返し受けるもので、前記指定指示を受けたとき当該指定指示で指定された第２の映像情報を前記ネットワーク経由で取得し、前記再生指示を受けたとき前記指定指示により取得した第２の映像情報に基づく映像表示を行ない、前記再生停止指示を受けたとき前記再生指示による第２の映像情報に基づく映像表示を停止する第１の制御手段と、
前記再生停止指示により前記第２の映像情報に基づく映像表示を停止したとき、第３の映像情報に基づく映像表示を行なった後、前記指定指示がなく前記第３の映像情報に基づく前記映像表示が所定時間を経過すると前記受信手段で受信した第１の映像情報に基づく映像表示を行なう第２の制御手段とを具備する再生装置。
【請求項２】
前記第２の制御手段は、前記再生停止指示により前記第２の映像情報に基づく映像表示を停止した後、前記受信手段で受信した第１の映像情報に基づく映像表示を行なうまで前記第３の映像情報に基づく映像表示を行なう請求項１記載の再生装置。
【請求項３】
前記第３の映像情報は黒画面である請求項２記載の再生装置。
【請求項４】
第１の映像情報を受信する工程と、
ネットワークを介して指定指示、再生指示及び再生停止指示を予め設定された時間間隔で繰り返し受ける工程と、
前記指定指示を受けたとき当該指定指示で指定された第２の映像情報を前記ネットワーク経由で取得する工程と、
前記再生指示を受けたとき前記指定指示により取得した第２の映像情報に基づく映像表示を行なう工程と、
前記再生停止指示を受けたとき前記再生指示による第２の映像情報に基づく映像表示を停止する工程と、
前記再生停止指示により前記第２の映像情報に基づく映像表示を停止したとき、第３の映像情報に基づく映像表示を行なった後、前記指定指示がなく前記第３の映像情報に基づく前記映像表示が所定時間を経過すると前記第１の映像情報に基づく映像表示を行なう工程とを有する再生方法。
【請求項５】
前記再生停止指示により前記第２の映像情報に基づく映像表示を停止したとき、第３の映像情報に基づく映像表示を行なった後、前記第１の映像情報に基づく映像表示を行なう工程は、前記再生停止指示により前記第２の映像情報に基づく映像表示を停止した後、前記受信手段で受信した第１の映像情報に基づく映像表示を行なうまで前記第３の映像情報に基づく映像表示を行なう請求項４記載の再生方法。
【請求項６】
前記第３の映像情報は黒画面である請求項５記載の再生方法。
【発明の詳細な説明】
【技術分野】
【０００１】
この発明の実施の形態は、例えばデジタル放送受信機能を備えた機器等に使用して好適する再生装置及び再生方法に係り、特にネットワークを介してコンテンツを取得し再生する機能を改良したものに関する。
【背景技術】
【０００２】
周知のように、近年では、テレビジョン放送のデジタル化が推進されてきている。例えば、日本国内においては、ＢＳ（broadcasting satellite）デジタル放送及び１１０度ＣＳ（communication satellite）デジタル放送等の衛星デジタル放送だけでなく、地上デジタル放送も実用化されている。
【０００３】
このため、このようなデジタルテレビジョン放送を受信するデジタル放送受信機器としては、現行の地上アナログ放送とともに、衛星デジタル放送や地上デジタル放送等を選択的に受信する機能が搭載されている。また、現在、この種のデジタル放送受信機器にあっては、ネットワーク接続機能も搭載されている。
【０００４】
このネットワーク接続機能により、デジタル放送受信機器は、コントローラとなるＰＣ（personal computer）及び多数のコンテンツを提供可能なコンテンツサーバとともにネットワーク上に接続され、ＰＣが指定したコンテンツをコンテンツサーバから取得して再生する、いわゆる、コンテンツ再生システムを構築することができる。
【０００５】
そして、この種のコンテンツ再生システムを構築可能なデジタル放送受信機器は、一般に、ＵＰｎＰ（universal plug and play）ＡＶ（audio visual）ｖ（version）１に基づいたＤＬＮＡ（digital living network alliance）仕様のＤＭＲ（digital media renderer）機能にしたがうように構成されている。
【０００６】
この場合、デジタル放送受信機器がＰＣからの指示を受けて遷移する状態は、コンテンツサーバから取得したコンテンツを再生する再生状態と、コンテンツの再生を停止する停止状態との２種類となる。そして、停止状態では、デジタル放送受信機器は、自己が受信しているチャンネルで放送中の番組映像を画面に表示するように機能する。
【０００７】
ここにおいて、ユーザが、ＰＣを用いて、コンテンツサーバが提供可能な多数のコンテンツから複数のコンテンツを選択し、その選択した複数のコンテンツを、デジタル放送受信機器に一定の周期で自動的に順次再生させる、いわゆる、スライドショーを行なわせることを考える。
【０００８】
この場合、ＰＣは、デジタル放送受信機器に対してコンテンツサーバから選択するコンテンツを指定する指示と、デジタル放送受信機器に対してその選択されたコンテンツを取得して再生する指示と、デジタル放送受信機器に対してコンテンツの再生を停止する指示とを、繰り返し出力することになる。
【０００９】
ところで、デジタル放送受信機器は、先に述べたように、停止状態では自己が受信しているチャンネルで放送中の番組映像を画面に表示している。そして、デジタル放送受信機器では、ＰＣがスライドショーを行なっているのか、単発でのコンテンツの再生を行なっているのかを区別することができないものである。
【００１０】
このため、デジタル放送受信機器は、スライドショーの実行中であっても、停止指示により停止状態になると、自己が受信しているチャンネルで放送中の番組映像を画面に表示し、その後、次の再生指示を受けた状態で、コンテンツサーバから取得した次のコンテンツの再生映像を画面に表示するように動作する。
【００１１】
すなわち、現状のコンテンツ再生システムでは、スライドショーの実行中であっても、デジタル放送受信機器が停止状態になると、放送中の番組映像が画面に表示されてしまうので、スライドショーで画面に順次表示されるコンテンツ映像の合間に、放送中の番組映像が表示されてしまうことになる。
【００１２】
特許文献１には、ネットワークに接続され操作制御部によって操作される表示再生部であって、この表示再生部がコンテンツの再生中に一時停止指示を受けた場合、そのときの画面をサムネイル画像としてコンテンツから切り出し、操作制御部の操作パネル上に表示させるようにした構成が開示されている。
【先行技術文献】
【特許文献】
【００１３】
【特許文献１】特開２００７−００６４４３号公報
【発明の概要】
【発明が解決しようとする課題】
【００１４】
ネットワークを介して取得したコンテンツの再生状態から停止状態に切り替えられたとき、ユーザにとって不要な映像が表示されることを防止して、ひいてはスライドショーを行なうのに好適するようにした再生装置及び再生方法を提供することを目的とする。
【課題を解決するための手段】
【００１５】
実施の形態によれば、再生装置は、受信手段と第１の制御手段と第２の制御手段とを備える。受信手段は、第１の映像情報を受信する。第１の制御手段は、ネットワークを介して指定指示、再生指示及び再生停止指示を予め設定された時間間隔で繰り返し受けるもので、指定指示を受けたとき当該指定指示で指定された第２の映像情報をネットワーク経由で取得し、再生指示を受けたとき指定指示により取得した第２の映像情報に基づく映像表示を行ない、再生停止指示を受けたとき再生指示による第２の映像情報に基づく映像表示を停止する。第２の制御手段は、再生停止指示により第２の映像情報に基づく映像表示を停止したとき、第３の映像情報に基づく映像表示を行なった後、前記指定指示がなく前記第３の映像情報に基づく前記映像表示が所定時間を経過すると受信手段で受信した第１の映像情報に基づく映像表示を行なう。
【図面の簡単な説明】
【００１６】
【図１】実施の形態におけるコンテンツ再生システムの概略を説明するために示すブロック構成図。
【図２】同実施の形態におけるコンテンツ再生システムを構成するコンテンツ再生機器の状態遷移を説明するために示す図。
【図３】同実施の形態におけるコンテンツ再生機器がスライドショーを行なう場合の動作例を説明するために示す図。
【図４】同実施の形態におけるコンテンツ再生機器が中間映像を表示させずにスライドショーを行なった場合の動作例を説明するために示す図。
【図５】同実施の形態におけるコンテンツ再生機器の信号処理系の一例を説明するために示すブロック構成図。
【図６】同実施の形態におけるコンテンツ再生機器の主要な処理動作の一部を説明するために示すフローチャート。
【図７】同実施の形態におけるコンテンツ再生機器の主要な処理動作の残部を説明するために示すフローチャート。
【図８】同実施の形態におけるコンテンツ再生機器が表示させる中間映像の種々の例を説明するために示す図。
【発明を実施するための形態】
【００１７】
以下、実施の形態について図面を参照して詳細に説明する。図１は、この実施の形態で説明するコンテンツ再生システムの概略を示している。このコンテンツ再生システムは、例えばＰＣ等で構成されるコントローラ１１と、デジタル放送受信機能を備えたコンテンツ再生機器１２と、多数のコンテンツを選択的に提供可能なコンテンツサーバ１３とを、ネットワーク１４を介して情報伝送可能に接続した構成となっている。
【００１８】
ユーザは、コントローラ１１を操作して、コンテンツサーバ１３からそこに蓄積されている多数のコンテンツに関する情報を取得し、再生を希望するコンテンツを選択する。そして、ユーザは、コントローラ１１を操作して、選択したコンテンツを指定するコンテンツ指定指示と、その指定したコンテンツを再生する再生指示とを、コンテンツ再生機器１２に出力する。
【００１９】
すると、コンテンツ再生機器１２は、コンテンツ指定指示で指定されたコンテンツを、コンテンツ再生指示に基づいてコンテンツサーバ１３から取得し再生する。この場合、コンテンツ再生機器１２によるコンテンツの再生とは、取得したコンテンツから映像情報及び音声情報等を復元して、画面表示や音声再生に供させることを意味する。
【００２０】
その後、ユーザが、コントローラ１１を操作して、コンテンツの再生を停止するコンテンツ再生停止指示をコンテンツ再生機器１２に出力すると、コンテンツ再生機器１２は、コンテンツの再生を停止する。この場合、このコンテンツ再生機器１２は、詳細は後述するが、コンテンツの再生を停止したとき、予め用意された中間映像を、予め設定された所定時間（例えば２〜３秒）だけ画面表示に供させた後、自己が受信しているチャンネルで放送中の番組映像を画面表示に供させるように動作する。
【００２１】
図２は、上記コンテンツ再生機器１２がコントローラ１１からの指示によって取り得る状態の遷移を示している。すなわち、このコンテンツ再生機器１２は、コンテンツサーバ１３から取得したコンテンツの再生を行なっていないコンテンツ再生停止状態を、初期状態としている。このコンテンツ再生停止状態において、コンテンツ再生機器１２は、自己が受信しているチャンネルで放送中の番組映像を画面表示に供させている。
【００２２】
また、このコンテンツ再生停止状態において、コンテンツ再生機器１２は、コントローラ１１からコンテンツ指定指示とコンテンツ再生指示とを受け付ける。このうち、コンテンツ指定指示を受けた場合、コンテンツ再生機器１２は、その指定されたコンテンツをコンテンツサーバ１３から取得するように動作し、状態はコンテンツ再生停止状態のままとなる。
【００２３】
一方、コンテンツ再生指示を受けた場合、コンテンツ再生機器１２は、コンテンツサーバ１３から取得したコンテンツの再生を行なうコンテンツ再生状態に遷移する。このコンテンツ再生状態において、コンテンツ再生機器１２は、コンテンツサーバ１３から取得したコンテンツ映像を画面表示に供させている。
【００２４】
また、コンテンツ再生状態において、コンテンツの再生を停止するコンテンツ再生停止指示を受けた場合、または、コンテンツの再生が終了した場合、コンテンツ再生機器１２は、コンテンツ再生停止状態に遷移する。このうち、コンテンツ再生状態からコンテンツ再生停止指示によってコンテンツ再生停止状態に遷移した場合、コンテンツ再生機器１２は、予め用意された中間映像を、予め設定された所定時間だけ画面表示に供させた後、自己が受信しているチャンネルで放送中の番組映像を画面表示に供させる。
【００２５】
つまり、コンテンツ再生状態からコンテンツ再生停止指示によりコンテンツ再生停止状態に遷移した場合には、表示画面がコンテンツ映像から中間映像に切り替わり、その後、予め設定された所定時間が経過したときに、受信中の番組映像が画面表示されるようになる。この場合、中間映像としては、例えば黒画面等のように、コンテンツ映像とは無関係に設定された映像情報が用いられる。
【００２６】
なお、コンテンツ再生状態からコンテンツの再生が終了したことによりコンテンツ再生停止状態に遷移した場合には、中間映像を画面表示させずに、放送中の番組映像が画面表示に供されるようになっている。
【００２７】
ここで、ユーザが、コントローラ１１を用いて、コンテンツサーバ１３が提供可能な多数のコンテンツから複数のコンテンツを選択し、その選択した複数のコンテンツを、コンテンツ再生機器１２に一定の周期で自動的に順次再生させる、いわゆる、スライドショーを行なわせることを考える。
【００２８】
このとき、コントローラ１１は、コンテンツ再生機器１２に対して、コンテンツ指定指示とコンテンツ再生指示とコンテンツ再生停止指示とを、予め設定された時間間隔で繰り返し出力することになる。この場合、上述したように、コンテンツ再生機器１２は、コンテンツ再生状態からコンテンツ再生停止状態に遷移した場合、コンテンツ映像の後に中間映像を所定時間画面表示させてから、受信中の番組映像を画面表示するようにしている。
【００２９】
このため、中間映像を画面表示させておく所定時間を、スライドショーにより、コンテンツ再生状態からコンテンツ再生停止状態に遷移した時点から、再びコンテンツ再生状態に遷移する時点までの時間よりも長く見積もっておけば、スライドショーで画面に順次表示されるコンテンツ映像の合間には、中間映像が表示されることになり、放送中の番組映像が表示されなくなる。
【００３０】
ここで、中間映像は上記したように黒画面を表示させる映像情報であり、放送中の番組映像は動画が主体となっている。そして、スライドショーで画面に順次表示されるコンテンツ映像の合間に黒画面が表示される方が、動画が表示されるのに比べて、ユーザの見易さが格段に良好になることは明白である。
【００３１】
このように、コンテンツ再生状態からコンテンツ再生停止指示によりコンテンツ再生停止状態に切り替えられたとき、ユーザにとって不要な映像となる放送中の番組映像が表示されることを防止することにより、ユーザにとってスライドショーの見易さを良好にすることができる。特に、スライドショーによって写真映像を画面表示させる場合には、途中に放送中の番組映像が表示されなくなることは効果的である。
【００３２】
図３は、コンテンツ再生機器１２が写真映像のスライドショーを行なう場合の動作例を示している。この動作例では、コンテンツ再生機器１２が、３枚の写真映像１，２，３をスライドショーにより順次画面表示に供させる動作を示している。この場合、上記コンテンツサーバ１３には、３枚の写真映像１，２，３を構成するコンテンツがそれぞれ蓄積されている。
【００３３】
そして、まず、コンテンツ再生機器１２は、時刻Ｔ１におけるコンテンツ再生停止状態（初期状態）において、自己が受信しているチャンネルで放送中の番組映像を画面表示に供している。このような状態において、コンテンツ再生機器１２は、時刻Ｔ２でコントローラ１１からコンテンツ指定指示（SetURI）を受けると、そのコンテンツ指定指示で指定されたコンテンツ（写真映像１）をコンテンツサーバ１３から取得し、その後の時刻Ｔ３でコントローラ１１から得られるコンテンツ再生指示（Play）に基づいて、取得したコンテンツ（写真映像１）を画面表示に供させる。
【００３４】
その後、コンテンツ再生機器１２は、時刻Ｔ４でコントローラ１１からコンテンツ再生停止指示（Stop）を受けると、予め用意された中間映像（黒画面）を画面表示に供させる。そして、コンテンツ再生機器１２は、時刻Ｔ５でコントローラ１１からコンテンツ指定指示（SetURI）を受けると、そのコンテンツ指定指示で指定されたコンテンツ（写真映像２）をコンテンツサーバ１３から取得し、その後の時刻Ｔ６でコントローラ１１から得られるコンテンツ再生指示（Play）に基づいて、取得したコンテンツ（写真映像２）を画面表示に供させる。
【００３５】
次に、コンテンツ再生機器１２は、時刻Ｔ７でコントローラ１１からコンテンツ再生停止指示（Stop）を受けると、予め用意された中間映像（黒画面）を画面表示に供させる。そして、コンテンツ再生機器１２は、時刻Ｔ８でコントローラ１１からコンテンツ指定指示（SetURI）を受けると、そのコンテンツ指定指示で指定されたコンテンツ（写真映像３）をコンテンツサーバ１３から取得し、その後の時刻Ｔ９でコントローラ１１から得られるコンテンツ再生指示（Play）に基づいて、取得したコンテンツ（写真映像３）を画面表示に供させる。
【００３６】
その後、コンテンツ再生機器１２は、時刻Ｔ１０でコントローラ１１からコンテンツ再生停止指示（Stop）を受けると、予め用意された中間映像（黒画面）を画面表示に供させる。そして、コンテンツ再生機器１２は、中間映像の表示時間が経過した時刻Ｔ１１で、自己が受信しているチャンネルで放送中の番組映像を画面表示に供させるようになる。
【００３７】
図３に示したコンテンツ再生機器１２の動作例によれば、スライドショーで画面に順次表示される写真映像１，２，３の合間に、中間映像として黒画面が表示されるので、放送中の番組映像である動画が表示されるのに比べて、ユーザの見易さを格段に向上させることができる。
【００３８】
図４は、上記したコンテンツ再生機器１２が、コンテンツ再生状態からコンテンツ再生停止指示によりコンテンツ再生停止状態に切り替えられたとき、中間映像を画面表示させることなく、放送中の番組映像を画面表示させている場合の動作例を示している。図４において、図３と同一過程には同一符号を付して説明すると、コンテンツ再生機器１２は、時刻Ｔ４，Ｔ７，Ｔ１０でコントローラ１１からコンテンツ再生停止指示（Stop）を受けたとき、自己が受信しているチャンネルで放送中の番組映像を画面表示させている。このため、スライドショーで画面に順次表示される写真映像１，２，３の合間に、放送中の番組映像である動画が表示されるので、ユーザにとって見辛くなっていることがわかる。
【００３９】
図５は、コンテンツ再生状態からコンテンツ再生停止指示によりコンテンツ再生停止状態に切り替えられたとき、中間映像を所定時間画面表示させた後、放送中の番組映像を画面表示させるようにしたコンテンツ再生機器１２の信号処理系の一例を示している。このコンテンツ再生機器１２は、デジタル放送受信機能を備えている。
【００４０】
すなわち、アンテナ１５で受信したデジタル放送信号は、入力端子１６を介してチューナ部１７に供給されることにより、所望のチャンネルの放送信号が選局される。そして、このチューナ部１７で選局された放送信号は、デコーダ部１８により番組コンテンツを構成する映像情報及び音声情報等に復元された後、出力選択部１９に供給される。
【００４１】
また、このコンテンツ再生機器１２は、上記コントローラ１１から出力されるコンテンツ指定指示、コンテンツ再生指示、コンテンツ再生停止指示及び音量調整指示等の各種指示情報を、ネットワーク１４を介して受信するための接続端子２０を備えている。この接続端子２０に受信された各種指示情報は、指示受信部２１に入力される。
【００４２】
この指示受信部２１は、指示情報を受信した旨の応答を接続端子２０及びネットワーク１４を介してコントローラ１１に返送するとともに、入力された各種指示情報のうち、コンテンツ指定指示、コンテンツ再生指示及びコンテンツ再生停止指示を示す各種指示情報を伝送指示部２２に供給し、音量調整指示を示す情報を出力指示部２３に供給する。
【００４３】
このうち、伝送指示部２２は、指示受信部２１から供給されたコンテンツ指定指示、コンテンツ再生指示及びコンテンツ再生停止指示を示す各種指示情報に基づいて、コンテンツ伝送部２４を制御している。すなわち、この伝送指示部２２は、コンテンツ指定指示が入力されると、そのコンテンツ指定指示情報に含まれている、指定されたコンテンツの取得先を示す情報を記憶する。
【００４４】
そして、伝送指示部２２は、コンテンツ再生指示が入力されると、記憶しているコンテンツの取得先情報をコンテンツ伝送部２４に供給する。これにより、コンテンツ伝送部２４は、コンテンツの取得先となるコンテンツサーバ１３に対し、接続端子２５及びネットワーク１４を介してコンテンツの取得を要求し、その要求したコンテンツをコンテンツサーバ１３からネットワーク１４及び接続端子２５を介して取得する。
【００４５】
さらに、伝送指示部２２は、コンテンツ再生停止指示が入力されると、その指示情報をコンテンツ伝送部２４に供給する。これにより、コンテンツ伝送部２４は、入力されたコンテンツ再生停止指示に基づいて、コンテンツサーバ１３からのコンテンツの取得を停止する。
【００４６】
なお、上記コンテンツ再生指示に基づいてコンテンツ伝送部２４で取得されたコンテンツは、デコーダ部２６により映像情報及び音声情報等に復元された後、上記出力選択部１９に供給される。
【００４７】
ここで、この出力選択部１９には、中間映像供給部２７及び制御情報テーブル２８が接続されている。このうち、中間映像供給部２７は、予め用意された中間映像を画面表示させるための中間映像情報を格納しており、その中間映像情報を出力選択部１９に出力している。また、上記制御情報テーブル２８は、中間映像を画面表示させておくための予め設定された所定時間を示す情報や、どのような種類のコンテンツに対して、その再生状態から再生停止状態に切り替えられたときに中間映像を画面表示させるかを示す、いわゆるコンテンツのメディアタイプ（図３では写真）を示す情報等を格納しており、それらの情報を出力選択部１９に出力している。
【００４８】
ここで、上記伝送指示部２２は、出力選択部１９に対して、デコーダ部１８，２６及び中間映像供給部２７から出力される各情報を選択させるように指示している。この場合、出力選択部１９は、制御情報テーブル２８に格納されている各情報を参照して、伝送指示部２２から供給される選択指示に制御を加えている。そして、この出力選択部１９で選択された情報は、出力部２９に供給される。
【００４９】
具体的に言えば、コンテンツ再生機器１２が安定したコンテンツ再生停止状態にあるとき、伝送指示部２２は、出力選択部１９に対して、デコーダ部１８から出力される映像情報や音声情報を、出力部２９に供給させるように指示する。この出力部２９は、入力された映像情報や音声情報に対して、画面表示や音声再生に供させるための所定の信号処理を施している。そして、この出力部２９で信号処理の施された映像情報や音声情報は、出力端子３０を介して外部の映像表示／音声再生部３１に供給されて、画面表示や音声再生に供される。これにより、安定したコンテンツ再生停止状態では、受信しているチャンネルで放送中の番組コンテンツの再生が行なわれることになる。
【００５０】
また、コンテンツ再生機器１２がコンテンツ再生状態にあるとき、伝送指示部２２は、出力選択部１９に対して、デコーダ部２６から出力される映像情報や音声情報を、出力部２９に供給させるように指示する。これにより、コンテンツ再生状態では、コンテンツサーバ１３から取得したコンテンツの再生が行なわれることになる。
【００５１】
さらに、コンテンツ再生機器１２がコンテンツ再生状態からコンテンツ再生停止指示によりコンテンツ再生停止状態に遷移した場合、伝送指示部２２は、出力選択部１９に対して、中間映像供給部２７から出力される中間映像情報を出力部２９に供給させるように指示して、中間映像が画面表示されるようにする。
【００５２】
この場合、出力選択部１９は、コンテンツ再生停止指示を受ける前のコンテンツ再生状態で再生していたコンテンツのメディアタイプが、制御情報テーブル２８に格納されている情報が示すメディアタイプ（図３では写真）に対応しているか否かを判別し、対応している場合に、制御情報テーブル２８に格納されている時間情報が示す時間だけ、中間映像情報を出力部２９に供給するように動作する。
【００５３】
また、出力選択部１９は、コンテンツ再生停止指示を受ける前のコンテンツ再生状態で再生していたコンテンツのメディアタイプが、制御情報テーブル２８に格納されている情報が示すメディアタイプ（図３では写真）に対応していない場合、デコーダ部１８から出力される映像情報や音声情報を出力部２９に供給するように、つまり、放送中の番組コンテンツの再生が行なわれるように動作する。
【００５４】
さらに、出力選択部１９は、中間映像情報を出力部２９に供給した時点から、制御情報テーブル２８に格納されている時間情報が示す時間が経過すると、自動的にデコーダ部１８から出力される映像情報や音声情報を出力部２９に供給するように、つまり、放送中の番組コンテンツの再生が行なわれるように動作する。
【００５５】
また、出力選択部１９は、中間映像情報を出力部２９に供給している状態で、伝送指示部２２から、デコーダ部２６から出力される映像情報や音声情報を出力部２９に供給させる指示を受けた場合、その指示を実行する。このため、中間映像を画面表示している状態であっても、コントローラ１１からのコンテンツ再生指示が受信されたときには、直ちにコンテンツ映像の画面表示を行なうことができる。つまり、制御情報テーブル２８に格納されている時間情報が示す時間が経過するまで中間映像を画面表示させることなく、次のコンテンツ映像を画面表示させることができるようになっている。
【００５６】
なお、上記伝送指示部２２は、コンテンツ再生機器１２がコンテンツ再生状態からコンテンツの再生が終了したことによりコンテンツ再生停止状態に遷移した場合、出力選択部１９に対して、デコーダ部１８から出力される映像情報や音声情報を出力部２９に供給するように、つまり、放送中の番組コンテンツの再生が行なわれるように動作する。これにより、コンテンツの再生が終了した場合には、中間映像を画面表示させることなく、放送中の番組コンテンツの再生が行なわれるようになる。
【００５７】
また、上記出力指示部２３は、指示受信部２１から供給された音量調整指示を示す情報を受信して音量調整部３２に供給する。この音量調整部３２は、入力された音量調整指示を示す情報に基づき、出力部２９に対して音声情報の音量を調整するように機能する。これにより、映像表示／音声再生部３１で再生される音声が、コントローラ１１で指示された音量に調整されることになる。
【００５８】
図６及び図７は、上記したコンテンツ再生機器１２の主要な処理動作をまとめたフローチャートを示している。すなわち、処理が開始（ステップＳ１）されると、指示受信部２１は、ステップＳ２で、コントローラ１１からの指示を待つ待機状態となり、ステップＳ３で、コントローラ１１からの指示が予め設定された一定時間内に受信されたか否かを判別する。
【００５９】
そして、コントローラ１１からの指示が予め設定された一定時間内に受信されたと判断された場合（ＹＥＳ）、指示受信部２１は、ステップＳ４で、コントローラ１１からの指示の種類を判別する。ここで、コントローラ１１からの指示がコンテンツ指定指示であると判断された場合、伝送指示部２２は、ステップＳ５で、コンテンツ指定指示情報に含まれている、指定されたコンテンツの取得先となる情報［例えばそのコンテンツのＵＲＬ（uniform resource locator）と再生開始位置を示す情報］を記憶し、ステップＳ２の処理に戻される。
【００６０】
また、上記ステップＳ４でコントローラ１１からの指示がコンテンツ再生指示であると判断された場合、伝送指示部２２は、ステップＳ６で、出力選択部１９に対してデコーダ部２６の出力を選択するように指示する。その後、伝送指示部２２は、ステップＳ７で、ステップＳ５で記憶したコンテンツの取得先情報をコンテンツ伝送部２４に送ることにより、コンテンツ取得先となるコンテンツサーバ１３にコンテンツの取得を要求し、その要求に基づいてコンテンツサーバ１３から取得したコンテンツを再生して、ステップＳ２の処理に戻される。
【００６１】
さらに、上記ステップＳ４でコントローラ１１からの指示がコンテンツ再生停止指示であると判断された場合、伝送指示部２２は、ステップＳ８で、コンテンツ再生状態で受信されたコンテンツ再生停止指示であって、かつ、コンテンツ再生状態で再生していたコンテンツのメディアタイプが、制御情報テーブル２８に格納されているメディアタイプに対応している（この場合、再生していたコンテンツが写真）という条件が満たされているか否かを判別する。
【００６２】
そして、条件が満たされていないと判断された場合（ＮＯ）、伝送指示部２２は、ステップＳ９で、出力選択部１９に対してデコーダ部１８の出力を選択するように指示する。その後、伝送指示部２２は、ステップＳ１０で、コンテンツ再生停止指示をコンテンツ伝送部２４に送ることにより、コンテンツサーバ１３からのコンテンツの取得を停止させて、ステップＳ２の処理に戻される。
【００６３】
また、上記ステップＳ８で条件が満たされていると判断された場合（ＹＥＳ）、伝送指示部２２は、ステップＳ１１で、出力選択部１９に対して中間映像供給部２７から供給される中間映像情報を選択するように指示する。その後、伝送指示部２２は、ステップＳ１０で、コンテンツ再生停止指示をコンテンツ伝送部２４に送ることにより、コンテンツサーバ１３からのコンテンツの取得を停止させて、ステップＳ２の処理に戻される。
【００６４】
一方、上記ステップＳ３でコントローラ１１からの指示が予め設定された一定時間内に受信されなかったと判断された場合（ＮＯ）、出力選択部１９は、ステップＳ１２で、現在選択している情報が中間映像情報であるか否かを判別し、中間映像情報でないと判断された場合（ＮＯ）、ステップＳ２の処理に戻される。
【００６５】
また、上記ステップＳ１２で現在選択している情報が中間映像情報であると判断された場合（ＹＥＳ）、出力選択部１９は、ステップＳ１３で、中間映像情報を選択するように切り替えられた時点から、制御情報テーブル２８に格納されている所定時間が経過したか否か、つまり、中間映像の画面表示が所定時間行なわれたか否かを判別し、経過していないと判断された場合（ＮＯ）、ステップＳ２の処理に戻される。
【００６６】
さらに、上記ステップＳ１３で所定時間が経過したと判断された場合（ＹＥＳ）、出力選択部１９は、ステップＳ１４で、デコーダ部１８から出力される映像情報や音声情報を出力部２９に供給するように、つまり、放送中の番組コンテンツの再生が行なわれるように切り替えて、ステップＳ２の処理に戻される。
【００６７】
ここで、上記した実施の形態では、コンテンツ再生状態からコンテンツ再生停止指示によりコンテンツ再生停止状態に遷移したとき、中間映像として黒画面を表示させることについて説明したが、中間映像が黒画面に限られるものでないことは言うまでもないことである。
【００６８】
例えば、図８（ａ）に示すように、コンテンツ映像の再生状態からコンテンツ再生停止指示によりコンテンツ再生停止状態に遷移したとき、中間映像として、所定形状（図示の場合は○）のアイコン３３を画面表示させることができる。
【００６９】
また、図８（ｂ）に示すように、コンテンツ映像の再生状態からコンテンツ再生停止指示によりコンテンツ再生停止状態に遷移したとき、中間映像として、予めユーザが設定しておいた静止映像を画面表示させることができる。
【００７０】
さらに、図８（ｃ）に示すように、コンテンツ映像の再生状態からコンテンツ再生停止指示によりコンテンツ再生停止状態に遷移したとき、中間映像として、コンテンツ再生停止状態に遷移する前のコンテンツ再生状態で再生していたコンテンツ映像を、そのまま画面表示させることができる。
【００７１】
また、図８（ｄ）に示すように、コンテンツ映像の再生状態からコンテンツ再生停止指示によりコンテンツ再生停止状態に遷移したとき、中間映像として、コンテンツ再生停止状態に遷移する前のコンテンツ再生状態で再生していたコンテンツ映像を、フェードアウトさせるように画面表示させることができる。
【００７２】
さらに、上記した実施の形態では、スライドショーで再生するコンテンツとして写真映像を例にして説明したが、これに限るものでないことはもちろんである。すなわち、スライドショーで再生するコンテンツとしては、例えば、写真映像以外の静止画像、動画像、音声、音楽等であっても良いものである。
【００７３】
なお、コンテンツとして動画像が画面表示される場合には、コンテンツ映像の再生状態からコンテンツ再生停止指示によりコンテンツ再生停止状態に遷移したとき、中間映像として、コンテンツ再生停止状態に遷移する直前の映像を画面表示させたり、当該直前の映像をフェードアウトさせるように画面表示させたりすることができる。
【００７４】
また、上記した実施の形態では、コンテンツ再生状態からコンテンツ再生停止指示によりコンテンツ再生停止状態に遷移したとき、中間映像を画面表示させるコンテンツのメディアタイプ（この場合、写真）を示す情報を、上記制御情報テーブル２８に格納している。これにより、写真映像がスライドショーで再生されるときには、写真映像の合間に中間映像が画面表示され、写真以外のコンテンツ（動画像や音楽等）がスライドショーで再生されるときには、コンテンツの合間に放送中の番組コンテンツが再生されるというように、きめ細かい対応が可能となる。
【００７５】
なお、上記した実施の形態では、コンテンツのメディアタイプが写真である場合に、中間映像を表示するようにしているが、これに限られるものでないことはもちろんである。例えば、動画像（ビデオ）や音楽のプレイリスト再生に対しても、上記した実施の形態と同様の処理を行なうことが可能である。この場合、コントローラ１１は、コンテンツ再生機器１２から再生終了の通知を受けて、次のSetURIの再生指示を発生するため、コンテンツ再生機器１２は、このSetURIの再生指示が来る時間間隔に応じて、中間映像を表示すれば良いものである。
【００７６】
さらに、スライドショーで再生されるコンテンツのメディアタイプや、中間映像の映像内容等に応じて、コンテンツ再生状態からコンテンツ再生停止指示によりコンテンツ再生停止状態に遷移したとき、中間映像を画面表示させておく所定時間を異ならせるようにすることができる。
【００７７】
また、コントローラ１１がコンテンツ再生停止指示を発生してからコンテンツ再生指示を発生するまでの時間を計測し、その計測した時間の最小値を、中間映像を画面表示させておく所定時間として制御情報テーブル２８に格納することにより、中間映像の表示時間を設定することができる。
【００７８】
さらに、コントローラ１１が複数個存在する場合には、コントローラ１１毎に、コンテンツ再生停止指示を発生してからコンテンツ再生指示を発生するまでの時間を計測し、その計測した時間の最小値を、中間映像を画面表示させておく所定時間として制御情報テーブル２８に格納することにより、コントローラ１１に応じて中間映像の表示時間を動的に対応させることができる。
【００７９】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【符号の説明】
【００８０】
１１…コントローラ、１２…コンテンツ再生機器、１３…コンテンツサーバ、１４…ネットワーク、１５…アンテナ、１６…入力端子、１７…チューナ部、１８…デコーダ部、１９…出力選択部、２０…接続端子、２１…指示受信部、２２…伝送指示部、２３…出力指示部、２４…コンテンツ伝送部、２５…接続端子、２６…デコーダ部、２７…中間映像供給部、２８…制御情報テーブル、２９…出力部、３０…出力端子、３１…映像表示／音声再生部、３２…音量調整部、３３…アイコン。
【図１】
0005479311.tif 000002
【図２】
0005479311.tif 000003
【図３】
0005479311.tif 000004
【図４】
0005479311.tif 000005
【図５】
0005479311.tif 000006
【図６】
0005479311.tif 000007
【図７】
0005479311.tif 000008
【図８】
0005479311.tif 000009